(57)【要約】【課題】光源からの光が装置の正面側から漏れるのを防止できる照明装置を提供することを目的とする。【解決手段】光源５２を備えた光源ユニット５と、この光源ユニット５及び光源５２を点灯制御する点灯装置７が配設され、正面側に開口部４１を有す本体ケース４を備えた本体ユニット２と、前記本体ケース４の開口部４１に、当該開口部４１を覆うように配設されるとともに、前記光源ユニット５を覆うカバー領域部３５及び光源５２からの出射光が照射されて所定の照明をなす照射領域部３６を有し、カバー領域部３５と本体ケース４の開口部４１との合わせ目Ｓが正面側には位置しないように取付けられる照射ユニット３とを備える照明装置１である。【選択図】図１
2010102858.tif 000002
【特許請求の範囲】
【請求項１】
光源を備えた光源ユニットと；
この光源ユニット及び光源を点灯制御する点灯装置が配設され、正面側に開口部を有す本体ケースを備えた本体ユニットと；
前記本体ケースの開口部に、当該開口部を覆うように配設されるとともに、前記光源ユニットを覆うカバー領域部及び光源からの出射光が照射されて所定の照明をなす照射領域部を有し、カバー領域部と本体ケースの開口部との合わせ目が正面側には位置しないように取付けられる照射ユニットと；
を具備することを特徴とする照明装置。
【請求項２】
前記カバー領域部と本体ケースの開口部との合わせ目において、カバー領域部が段状に形成され、この段状の部分に本体ケースの開口部が適合されることを特徴とする請求項１に記載の照明装置。
【発明の詳細な説明】
【技術分野】
【０００１】
本発明は、誘導灯などに適用され、正面側からの光漏れを防止する照明装置に関する。
【背景技術】
【０００２】
従来、この種、照明装置として、例えば、光源にＬＥＤを用いた誘導灯では、基板に複数個のＬＥＤを配設し、この基板をホルダに取付け、ＬＥＤからの光を導光板の入射面へ入射させ、表示パネルを照らして誘導表示のピクトグラムを明示するようにしている（非特許文献１参照）。このような構成においては、本体の開口部にホルダや表示パネルが取付けられている。
【非特許文献１】三菱電機照明  高輝度誘導灯ルクセントＬＥＤｓシリーズ［平成２０年１０月７日検索］、インターネット（http://www.mitsubishielectric.co.jp/group/mlf/product/sisetsu/content08.html）
【発明の開示】
【発明が解決しようとする課題】
【０００３】
しかしながら、従来の誘導灯では、本体の開口部とホルダとの合わせ目の僅かな隙間から光源からの光が正面側、つまり、表示パネル側に漏れ、例えば、合わせ目に沿った直線状の輝線が発生する等の不具合が生じる。
【０００４】
本発明は、上記問題点に鑑みなされたもので、光源からの光が装置の正面側から漏れるのを防止できる照明装置を提供することを目的とする。
【課題を解決するための手段】
【０００５】
請求項１に記載の照明装置は、光源を備えた光源ユニットと；この光源ユニット及び光源を点灯制御する点灯装置が配設され、正面側に開口部を有す本体ケースを備えた本体ユニットと；前記本体ケースの開口部に、当該開口部を覆うように配設されるとともに、前記光源ユニットを覆うカバー領域部及び光源からの出射光が照射されて所定の照明をなす照射領域部を有し、カバー領域部と本体ケースの開口部との合わせ目が正面側には位置しないように取付けられる照射ユニットと；を具備することを特徴とする。
【０００６】
本発明及び以下の発明において、特に指定しない限り用語の定義及び技術的意味は次による。各ユニットは、その構成要素が物理的に一体的であることを意味するものではない。主として、機能的な単位を意味する。例えば、照射ユニットにおけるカバー領域部と照射領域部とは、一体化されていなくてもよく、カバー領域部は、別体に構成されていてもよい。また、光源ユニットの取付けにおいては、本体ケースに取付けることなく、カバー領域部の背面に取付けるようにし、本体ケースに配設される状態であってもよい。光源としては、ＬＥＤ等の固体発光素子や冷陰極放電ランプ等の各種ランプが適用でき、特段その種類に限定されるものではない。また、照明装置は、誘導灯やいわゆる空間を照らす照明器具、ディスプレイ装置等を含む概念である。
【０００７】
請求項２に記載の照明装置は、前記カバー領域部と本体ケースの開口部との合わせ目において、カバー領域部が段状に形成され、この段状の部分に本体ケースの開口部が適合されることを特徴とする。
【発明の効果】
【０００８】
請求項１に記載の発明によれば、光源からの光が装置の正面側から漏れるのを防止し得る照明装置を提供することができる。
【０００９】
請求項２に記載の発明によれば、請求項１に記載の発明の効果に加え、カバー領域部と本体ケースの開口部との合わせ目から本体ケースの外側へ向かって漏れる光を軽減することができる。
【発明を実施するための最良の形態】
【００１０】
以下、本発明の実施形態に係る照明装置について図１乃至図９を参照して説明する。図１は、照明装置として誘導灯を示す斜視図、図２は、本体ユニットと照射ユニットとしての表示ユニットとを分解して示す斜視図、図３は、表示ユニットを分解して示す斜視図、図４は、本体ユニットを分解して示す斜視図、図５は、光源ユニットを示す斜視図、図６及び図７は、光源ユニットを分解し、それぞれ視点を変えて示す斜視図、図８は、誘導灯を示す断面図、図９は、同要部を示す断面図である。なお、各図において、同一又は相当部分には同一符号を付し、重複した説明は省略する。
【００１１】
図１乃至図４に示すように、誘導灯１は、天井面や垂直な壁面等の設置面に設置されて使用可能なように構成されている。そして、誘導灯１は、本体ユニット２と、この本体ユニット２に装着される照射ユニットとしての表示ユニット３とから構成されている。また、本体ユニット２は、本体ケース４、光源ユニット５、端子台６、点灯装置７及びバッテリ８を備えている。
【００１２】
まず、表示ユニット３は、略矩形枠状のユニットケース３１の内側に上端面を光の入射面３２ａとする板状のアクリル樹脂製の導光板３２が配設されて構成されている。この導光板３２の表面側には、誘導表示として人が避難している状態を示すピクトグラムが表示された表示パネル３３が設けられており、ユニットケース３１は、本体ユニット２に対し、係脱手段３４によって着脱可能に取付けられている。このような表示ユニット３は、ユニットケース３１の上部が光源ユニット５と対向して覆うようにカバー領域部３５として構成されており、このカバー領域部３５の下側は、光源ユニット５からの光が照射される照射領域部３６として構成されている。カバー領域部３５は、非透光性の部材からなっており、照射領域部３６は、具体的には、表示パネル３３から構成されている。
【００１３】
本体ユニット２は、正面背面方向の寸法、つまり、厚さ寸法が小さく正面側を開口部４１とした扁平な箱状の本体ケース４を備え、この本体ケース４の内側に上部から光源ユニット５、端子台６、点灯装置７等が配設されている。図４に代表して示すように、本体ケース４は絶縁性を有する白色の合成樹脂にて一体に形成され、四角形板状の背面部４２、上面部４３、下面部４４及び両側の側面部４５を有し、上面部４３、下面部４４及び両側の側面部４５とで四角形枠状に形成されている。
【００１４】
上面部４３には、円孔状の電源線導入口４６が略中央部に位置して形成されているとともに、この電源線導入口４６の両側に位置して、本体ケース４を支持し設置面部に取付けるボルト等の取付具が挿通する取付孔４７が形成されている。同様に、背面部４２の略中央部上側にも円孔状の電源線導入口４６が形成されているとともに、この電源線導入口４６の両側に位置して、取付孔４７が形成されている。これら上面部４３及び背面部４２に形成した電源線導入口４６、取付孔４７は、誘導灯１を天井面や壁面等の設置面に選択的に設置するために用いられるものであり、容易に開口可能なノックアウト構造となっている。さらに、背面部４２の略中央部には、両側方向に延出する突起状の庇部４８が形成されている。また、本体ケース４の内側には、本体ケース４の内側形状に沿い、前記上面部４３及び背面部４２に形成された電源線導入口４６、取付孔４７並びに背面部４２に形成された庇部４８に対応した貫通孔４６ａ、４７ａ、４８ａが形成された金属板製の補強体４９が係合手段によって取付けられている。
【００１５】
詳細を後述する光源ユニット５は、光源としてＬＥＤチップが用いられ、複数のＬＥＤチップが表面実装された基板と、この基板を保持する基板取付ホルダとを備えている。基板は、細長状に形成されており、ＬＥＤチップが実装された面を下方に向けた状態で本体ケース４の上部に取付けられている。したがって、ＬＥＤチップから出射された光は、導光板３２の上端面、すなわち、入射面３２ａに入射するようになっている。
【００１６】
端子台６は、略四角形の箱状に形成されて背面部４２の取付孔４７の下側に位置して補強体４９に取付けられており、電源線導入口４６から導入される外部の電源線や内部の配線コード等の芯線が挿入されて電気的に接続される複数の自己鎖錠形の端子を有している。
【００１７】
点灯装置７は、基板７１にトランスＴｒ、ＩＣ、スイッチング素子としてトランジスタＱ、電解コンデンサＣ、基板用端子台Ｔ、コネクタＣｎ等の点灯回路部品７２が実装されて構成されている。この基板７１には、その両面に回路部品７２が実装されており、表面側には、トランス等の背の高い部品が図示上左側に集約されて配置されている。一方、図示しない裏面には背の低い半導体素子や抵抗素子等が表面実装方式により実装されており、したがって、表面側の図示上右側には、回路部品は実装されておらず、回路パターンのみが配線されて構成されている。また、点灯装置７は、端子台６を介して電源線に接続され、その出力を光源ユニット５のＬＥＤチップに供給し、常用点灯としてＬＥＤチップを点灯制御するとともにバッテリ８を充電し、電源からの電力が遮断された場合には、バッテリ８の電力に切替えて非常点灯としてＬＥＤチップを点灯するようになっている。さらに、点灯装置７には、図示しない点検スイッチが接続され、点検スイッチの操作によりバッテリ８の充電状態等の点検動作を行うことが可能になっている。加えて、点灯装置７には、リモコン受信部が接続され、リモコンの操作により、点灯装置７を操作し設定作業等を行うことができるようになっている。
【００１８】
点灯装置７を収納する合成樹脂製の点灯装置ケース７３は、全体形状が略直方体状に形成され、基板７１の背の高い部品が実装された領域をカバーする第１のカバー部７３ａと、回路パターンのみが配線された領域をカバーする第２のカバー部７３ｂとを備えている。そして、正面視、点灯装置ケース７３は、第１のカバー部７３ａと第２のカバー部７３ｂとで段状を形成している。このような構成により、第２のカバー部７３ｂの前面側にはスペースＳが形成され、このスペースＳにバッテリ８が配設されるようになっている。バッテリ８は、充電可能な二次電池が用いられ、バッテリケースに収納されて、前記スペースＳに配設される。なお、金属板製の補強体４９と点灯装置７との間には絶縁シート７４が介在されており、点灯装置ケース７３の第１のカバー部７３ａの外面には金属板製の補強板７５が取付けられている。
【００１９】
次に、図１及び図２に示すように、表示ユニット３は、本体ケース４の開口部４１に、当該開口部４１を覆うように配設され取付けられるとともに、カバー領域部３５は、光源ユニット５を覆うように対向して配置される。この場合、後述するように、カバー領域部３５、すなわち、ユニットケース３１の上辺部と本体ケース４の開口部４１との合わせ目Ｓは、正面側には現れないように構成されており、合わせ目Ｓは、本体ケース４の上面部４３側に位置されるようになっている。
【００２０】
続いて、光源ユニット５について詳述する。図５乃至図７において（前面側、すなわち、表示面側の方向を矢印で示す）、光源ユニット５は、合成樹脂製の基板取付ホルダ５１、発光素子としてＬＥＤチップ５２が実装された基板５３及び基板押え板５４を備えている。基板取付ホルダ５１は、断面略Ｌ字状であり、長方形状の細長のカバー部５５と、このカバー部５５から垂下するように形成された導光板案内壁５６とから構成されている。カバー部５５は、平板状であり、長手方向の端部寄りには長方形状の開口５５ａが形成されている。また、長手方向の周縁部には、間隙保持手段として僅かに突出した突条５５ｂが形成されており、さらに、長手方向の周縁部には、複数の弾性係止手段として弾性係止爪５５ｃが形成されている。さらにまた、長手方向の周縁部、より詳しくは、前記突条５５ｂであって、開口５５ａに対向する両側には、リブ状の光漏れ防止壁５５ｄが立設されている。
【００２１】
加えて、カバー部５５の長手方向の両側には、カバー部５５から垂下するように、前記導光板案内壁５６と直交する方向に一対の光漏れ防止壁５５ｅが形成されている。この光漏れ防止壁５５ｅは、導光板３２の入射面３２ａの両側に位置されるようになっている。なお、背面側の弾性係止爪５５ｃは導光板案内壁５６と連続するように形成されている。導光板案内壁５６は、カバー部５５と直交して垂下するように形成されており、導光板３２の上部が案内されるものである。この導光板案内壁５６は、光源ユニット５として一体的に形成することが好ましいが、別部材として構成してもよく、さらには、本発明にとって必須の構成要素ではない。
【００２２】
基板５３は、例えば、ガラスエポキシ樹脂等でＬ字状の細長の平板状に形成されており、その実装面に２個のＬＥＤチップ５２が表面実装されている。そして、この実装面には、銅箔で形成された配線パターンやレジスト層が形成されており、また、基板５３の周縁には、前記基板取付ホルダ５１の弾性係止爪５５ｃ及び光漏れ防止壁５５ｄと対向する位置に切欠き５３ａ、５３ｂが形成されており、さらに、基板５３の一端側には、点灯装置７とコネクタを介して接続される図示しない受電端子が設けられている。なお、ＬＥＤチップ５２は、チップ・オン・ボード方式で基板５３に実装してもよく、さらに、基板５３を金属製とする場合は、アルミニウム等の熱伝導性が良好で放熱性に優れた材料を適用するのが好ましい。基板押え板５４は、絶縁性を有し、基板５３と類似した形状で、略Ｌ字状の細長の平板状に形成されている。
【００２３】
このように構成された光源ユニット５の組立状態を説明する。まず、基板５３を基板取付ホルダ５１のカバー部５５に重合するようにして配置する。この場合、基板５３には、切欠き５３ａ、５３ｂが形成されているので、基板５３をカバー部５５に重合するに際し、弾性係止爪５５ｃ及び光漏れ防止壁５５ｄが邪魔になることがなく重合できる。また、重合状態では、基板５３の実装面側の長手方向の周縁部は、カバー部５５の突条５５ｂに載置された状態となっている。続いて、基板押え板５４を基板５３の裏面側に重ねるように配設すると、基板押え板５４の周縁部に弾性係止爪５５ｃが係合、つまり、弾性係止爪５５ｃが外側に弾性変形し、その復帰力で基板押え板５４の周縁部に係合し、基板押え板５４が基板５３を押圧し、基板５３が基板押え板５４とカバー部５５との間に挟持されるように支持されるとともに、基板押え板５４は、カバー部５５に支持固定される。
【００２４】
以上のような組立状態では、基板５３の実装面側はカバー部５５に覆われた状態になっており、カバー部５５の開口５５ａに対向しているＬＥＤチップ５２の部分のみが表出されている。したがって、基板５３の充電部である実装面を保護でき、また、基板面が損傷したりするのを防ぐことができるとともに、ＬＥＤチップ５２は表出されているので、ＬＥＤチップ５２から出射される光の出射効率を低下させることはない。さらに、ＬＥＤチップ５２から発生する熱等の影響により基板５３が変形する虞があるが、カバー部５５、加えて、基板押え板５４が基板５３の補強の機能を果たすように支持しており、基板５３の変形を抑制することが可能である。
【００２５】
そして、表面実装されたＬＥＤチップ５２は、開口５５ａから突出することなく、開口５５ａの外表面より没入された状態となっているため、ＬＥＤチップ５２に他の部材等が接触しにくくなっており、他の部材等が接触し作用して、破損等する不具合を軽減できる。また、基板５３の周縁部は、カバー部５５の突条５５ｂに載置された状態になるので、基板５３の実装面とカバー部５５との間は僅かな間隙が生じており、基板５３の実装面側が直接カバー部５５の表面に衝突、接触することが抑制される。したがって、基板５３の実装面側の配線パターンやレジスト層に傷がついたりするのを回避できる。
【００２６】
ところで、この種、ＬＥＤチップ５２からの光は、主として正面方向（図示上、下方）に出射されるが、一部の光は側方にも出射され、所定の広がりをもった配光を有する。したがって、部分的に設けられた弾性係止爪５５ｃの弾性力によって、基板５３は、基板押え板５４とカバー部５５との間に挟持されるように支持されているので、このような挟持構造にあっては、基板５３とカバー部５５との合わせ目には、僅かながら隙間が形成される可能性がある。この場合、合わせ目からＬＥＤチップ５２の側方へ出射された光が外方へ漏れる虞があり、仮に、光が漏れると、導光板３２の入射面３２ａへの入射光量が減少し、効率の低下を来たすことになる。また、この漏れた光が輝線となり商品性を損なう可能性もある。
【００２７】
本実施形態では、カバー部５５の開口５５ａに対向する両側、換言すれば、ＬＥＤチップ５２に対向する両側に光漏れ防止壁５５ｄが設けられているので、ＬＥＤチップ５２から側方へ出射された光が外方へ漏れるのを抑制することができる。つまり、光漏れ防止壁５５ｄは、ＬＥＤチップ５２と対向する部分において、基板５３とカバー部５５との合わせ目を光の通過という観点で遮断する作用をなしているものである。さらに、光漏れ防止壁５５ｄによって遮断された光は、反射して再帰し、反射を繰り返し、結果的に正面方向へ照射させ導光板３２の入射面３２ａへ入射させて、有効に利用することも可能となる。また、光漏れ防止壁５５ｄは、カバー部５５の全周縁部に設けることなく、カバー部５５の開口５５ａと対向する部分に設けられているので、基板５３は、切欠き５３ｂを形成した部分において面積を減少することで形成でき、例えば、基板５３の実装面を広く有効に使える等の効果をもたらすことができる。
【００２８】
また、同様に、ＬＥＤチップ５２から出射された光は、カバー部５５の裏面側から、カバー部５５の長手方向の両側に漏れる虞があり、この場合にも導光板３２の入射面３２ａへの入射光量が減少する可能性がある。しかしながら、カバー部５５の長手方向の両側には、光漏れ防止壁５５ｅが形成されているので、光が外方へ漏れるのを抑制することができ、光漏れ防止壁５５ｅによって遮断された光を反射させ、導光板３２の入射面３２ａへ入射させて、有効に利用することが可能となる。
【００２９】
なお、カバー部５５の突条５５ｂは、基板５３の実装面側が直接カバー部５５の表面に接触しないような形態であれば周縁部に形成することに限定されない。また、基板押え板５４を設けることが好ましいが、設けなくてもよく、基板押え板５４は必須の構成要素ではない。この場合は、例えば、基板５３を弾性係止爪５５ｃに直接係合するようにして固定すればよい。さらに、光漏れ防止壁５５ｄは、基板押え板５４に設けるようにしてもよく、光漏れ防止壁５５ｄをどの部材に設けるかは適宜設計に応じて決定できる。要は、ＬＥＤチップ５２に対向する両側に配設されていればよい。加えて、光漏れ防止壁５５ｄは、弾性係止爪５５ｃをＬＥＤチップ５２に対向する両側に設けて、弾性係止爪５５ｃによってその機能を兼用させるようにしてもよい。
【００３０】
次に、図８及び図９を参照して本体ケース４の開口部４１に表示ユニット３を取付けた状態について説明する。前述したように、表示ユニット３は、カバー領域部３５と照射領域部３６を有している。カバー領域部３５は、光源ユニット５を正面側から覆っており、つまり、光源ユニット５は、カバー領域部３５の背面側に配置されている。一方、照射領域部３６は、表示パネル３３の部分であり、ＬＥＤチップ５２から出射された光が導光板３２の入射面３２ａに入射し、入射した光が照射領域部３６、すなわち、表示パネル３３に照射されて照明がなされ、誘導表示のピクトグラムが明示的に表示されるようになる。
【００３１】
ここで、カバー領域部３５の上辺部、すなわち、ユニットケース３１の上辺部は、段状に形成されており、また、これに適合して噛み合うように、本体ケース４の上面部４３の周側も段状に形成されており、相互の合わせ目Ｓは、本体ケース４の上面部４３側に位置するようになっている。したがって、合わせ目Ｓは、正面側に位置することなく、正面側に現れることはない。また、この合わせ目Ｓは、本体ケース４の上面部４３側の両側にも位置されるようになっている（図１参照）。つまり、カバー領域部３５は、両側方に延出して形成されており、その上辺部も段状に形成されているものである。
【００３２】
一般的に、この種、部材の相互の合わせ目は、部材の寸法精度やばらつき等から微小な隙間が生じるのが不可避である。このような場合、光源からの光が反射を繰り返し、合わせ目から漏れ、外方に出てしまうこととなる。しかしながら、上記構成によれば、仮に、合わせ目Ｓから光漏れが生じたとしても、その光は、本体ケース４の上面部４３側から出ることとなるため、正面側から視認しにくく、商品性を損なうことを回避できる。また、カバー領域部３５の上辺部は、段状に形成されているので、ＬＥＤチップ５２から反射を繰り返し、漏れてきた光は、段状の部分で遮断され、光漏れが軽減される。
【００３３】
なお、図１０に示すように、本体ケース４の上面部４３の周側は、段状に形成せずに、カバー領域部３５の上辺部を段状に形成し、この段状の部分に本体ケース４の上面部４３の周側を適合させるようにしてもよい。この場合にも、漏れてきた光は、段状の部分で遮断され、光漏れが軽減される。
【００３４】
以上のように本実施形態によれば、表示ユニット３のカバー領域部３５と本体ケース４の開口部４１との合わせ目Ｓから光漏れが生じたとしても、その光は、本体ケース４の上面部４３側から出ることとなるため、正面側から視認しにくく、商品性を損なうことを回避できる。また、カバー領域部３５の上辺部は、段状に形成されているので、光漏れが軽減できる。
【００３５】
なお、本発明は、上記実施形態の構成に限定されることなく、発明の要旨を逸脱しない範囲で種々の変形が可能である。表示ユニットにおけるカバー領域部と照射領域部とは、一体化されていなくてもよい。例えば、カバー領域部は、別体に構成されていてもよい。また、光源ユニットは、本体ケースに取付けることなく、カバー領域部の背面に取付けるようにしてもよく、つまり、カバー領域部が光源ユニットの一部を兼ねるように構成してもよい。光源としては、ＬＥＤに限らず、有機ＥＬ等の固体発光素子や冷陰極放電ランプ等が適用できる。また、誘導灯としては、両面表示タイプのものに適用してもよい。さらに、本発明は、誘導灯に限らず、いわゆる空間を照らす照明器具やディスプレイ装置等にも適用可能である。
【図面の簡単な説明】
【００３６】
【図１】本発明の実施形態に係る誘導灯を示す斜視図である。
【図２】同本体ユニットと表示ユニットとを分解して示す斜視図である。
【図３】同表示ユニットを分解して示す正面図である。
【図４】同本体ユニットを分解して示す斜視図である。
【図５】同光源ユニットを示す斜視図である。
【図６】同光源ユニットを分解して示す斜視図である。
【図７】同じく光源ユニットを分解して示す斜視図である。
【図８】同誘導灯を示す断面図である。
【図９】同要部を示す断面図である。
【図１０】同変形例の要部を示す断面図である。
【符号の説明】
【００３７】
１・・・照明装置（誘導灯）、２・・・本体ユニット、
３・・・照射ユニット（表示ユニット）、４・・・本体ケース、
５・・・光源ユニット、７・・・点灯装置、３５・・・カバー領域部、
３６・・・照射領域部、４１・・・開口部、５２・・・光源（ＬＥＤチップ）、
Ｓ・・・合わせ目
【図１】
2010102858.tif 000003
【図２】
2010102858.tif 000004
【図３】
2010102858.tif 000005
【図４】
2010102858.tif 000006
【図５】
2010102858.tif 000007
【図６】
2010102858.tif 000008
【図７】
2010102858.tif 000009
【図８】
2010102858.tif 000010
【図９】
2010102858.tif 000011
【図１０】
2010102858.tif 000012
【手続補正書】
【提出日】平成21年3月27日(2009.3.27)
【手続補正１】
【補正対象書類名】特許請求の範囲
【補正対象項目名】請求項１
【補正方法】変更
【補正の内容】
【請求項１】
光源を備えた光源ユニットと；
この光源ユニット及び光源を点灯制御する点灯装置が配設され、正面側に開口部を有する本体ケースを備えた本体ユニットと；
前記本体ケースの開口部に、当該開口部を覆うように配設されるとともに、前記光源ユニットを覆うカバー領域部及び光源からの出射光が照射されて所定の照明をなす照射領域部を有し、カバー領域部と本体ケースの開口部との合わせ目が正面側には位置しないように取付けられる照射ユニットと；
を具備することを特徴とする照明装置。